(57)【要約】【課題】オプション収納ボックスの板厚を薄くしても、オプションが収容されない状態における所要の強度を確保できるようにすること。【解決手段】プリンタ１００は、側枠板４と、側枠板４に装着された板金製のオプション収納ボックス１２とを備えている。オプション収納ボックス１２は、底壁４０が側枠板４に対向し、一端壁３６と他端壁３８が側枠板４に対し直交しかつ水平方向に対向するよう側枠板４に装着される。一端壁３６には開口４２が形成されかつ、金属製平板からなるカバー４４が、開口４２を覆うよう一端壁３６に装着される。カバー４４の一側面４４ｃは、天壁３０の表面と実質的に共通の鉛直面上に位置する、又は天壁３０の表面から水平方向に突出する。【選択図】図１
2007237427.tif 000002
【特許請求の範囲】
【請求項１】
実質的に鉛直に延在する、装置本体の側枠板と、側枠板の外面側に装着された板金製のオプション収納ボックスとを備えた装置において、
オプション収納ボックスは、実質的に矩形状の天壁と、天壁の４辺からそれぞれ直角に延び出す一側壁、他側壁、一端壁及び他端壁と、天壁に対向する底壁とを含む実質的に直方体形状をなすと共に、底壁が側枠板に対向し、一端壁と他端壁が側枠板に対し直交しかつ水平方向に対向するよう側枠板に装着され、
一端壁には実質的に矩形状のオプション収納用の開口が形成されかつ、実質的に矩形状の金属製平板からなるカバーが、開口を実質的に覆うよう一端壁の表面に重合されて離脱自在に装着され、一端壁及びカバーを他端壁に向う水平方向に見て、カバーの、実質的に鉛直に延在する水平方向の一側面であって側枠板に対し遠い方の一側面は、実質的に鉛直に延在する天壁の表面と実質的に共通の鉛直面上に位置する、又は天壁の表面から水平方向に突出する、
ことを特徴とする装置。
【請求項２】
一端壁及びカバーを他端壁に向う水平方向に見て、一端壁の水平方向幅はカバー及び開口の水平方向幅よりも大きく形成され、カバーの、実質的に鉛直に延在する水平方向の他側面であって側枠板に対し近い方の他側面には、該他側面から裏面方向に直角に延びるフランジが形成され、フランジは、開口の、側枠板に近い方の側縁の内側を通って開口の内側に挿入される、請求項１記載の装置。
【請求項３】
カバーの上下方向中央領域には、カバーの他側面から側枠板に近付く側外方に延び出す突出部が形成されて該突出部が一端壁の表面に重合され、フランジは、カバーの該突出部の上方及び下方にそれぞれ形成されている、請求項２記載の装置。
【請求項４】
一端壁の開口は、側枠板に対し接近離隔する水平方向に延在する上端縁及び下端縁を有し、カバーの該突出部の上方に形成されたフランジの上端は、開口の上端縁の内側に位置付けられ、カバーの該突出部の下方に形成されたフランジの下端は、開口の下端縁の内側に位置付けられる、請求項３記載の装置。
【請求項５】
装置本体の側枠板は板金製であり、側枠板には、周縁から側外方に直角に延び出すフランジが形成され、カバーのフランジの外面は、側枠板のフランジの鉛直に延在する一部領域に対し直角にかつ、該一部領域における先端に対向して位置付けられる、請求項２〜４のいずれか１項に記載の装置。
【請求項６】
カバーの板厚は、オプション収納ボックスの板厚よりも厚い、請求項１〜５のいずれか１項に記載の装置。
【請求項７】
該装置は実質的に直方体形状をなし、オプション収納ボックスは、側枠板の水平方向の一端領域に装着され、オプション収納ボックスの天壁と一端壁とが交わる角部は、該装置の水平方向における一つの角部と一致する、請求項１〜６のいずれか１項に記載の装置。
【請求項８】
装置本体の側枠板は、画像形成装置本体の側枠板である、請求項１〜７のいずれか１項に記載の装置。
【発明の詳細な説明】
【技術分野】
【０００１】
本発明は、装置本体の側枠板と、側枠板の外面側に装着された板金製のオプション収納ボックスとを備えた装置、例えば、プリンタ、複写機、ファクシミリ、それらの複合機などの画像形成装置に関する。
【背景技術】
【０００２】
装置本体の側枠板（後部枠板）と、側枠板の外面側に装着された板金製のオプション収納ボックスとを備えた画像形成装置は、例えば、特許文献１に開示されている。このオプション収納ボックスは、板金製のシールドボックスと一体に形成され、実質的に直方体形状をなす。オプション収納ボックスの一端壁は装置本体の角部に配置され、該一端壁には矩形状のオプション収納用の開口が形成されている。オプション収納ボックスには、該開口からオプションであるＦＡＸ用の配線基板ユニットが挿入されて収容される。オプション収納ボックスにオプションが収容されない場合には、該開口は、一般的に平板状のカバーにより離脱自在に覆われる。カバーの水平方向の一側面であって側枠板に対し遠い方の一側面は、通常、該一端壁の一側であって側枠板に対し遠い方の一側よりも側枠板に向う水平方向に後退した位置にある。
【０００３】
上記オプション収納ボックスにおいて、軽量化及びコストダウンの観点から、板厚を薄くした場合には、オプションが収容されない状態において、一端壁と、一端壁の一側であって側枠板に対し遠い方の一側に直角に交わる天壁（片側壁）との角部が、該開口の存在もあって、外力や振動に対して変形しやすくなる。その結果、該角部における強度が、所要のとおりに得られないおそれがある。このため、上記形態のオプション収納ボックスの板厚を薄くして、軽量化及びコストダウンを図ることができなかった。
【特許文献１】特開２００５−１５８８４７号公報
【発明の開示】
【発明が解決しようとする課題】
【０００４】
本発明の目的は、オプション収納ボックスの板厚を薄くしても、オプションが収容されない状態におけるオプション収納ボックスの所要の強度を確保できる、新規な装置を提供することである。
【課題を解決するための手段】
【０００５】
本発明によれば、
実質的に鉛直に延在する、装置本体の側枠板と、側枠板の外面側に装着された板金製のオプション収納ボックスとを備えた装置において、
オプション収納ボックスは、実質的に矩形状の天壁と、天壁の４辺からそれぞれ直角に延び出す一側壁、他側壁、一端壁及び他端壁と、天壁に対向する底壁とを含む実質的に直方体形状をなすと共に、底壁が側枠板に対向し、一端壁と他端壁が側枠板に対し直交しかつ水平方向に対向するよう側枠板に装着され、
一端壁には実質的に矩形状のオプション収納用の開口が形成されかつ、実質的に矩形状の金属製平板からなるカバーが、開口を実質的に覆うよう一端壁の表面に重合されて離脱自在に装着され、一端壁及びカバーを他端壁に向う水平方向に見て、カバーの、実質的に鉛直に延在する水平方向の一側面であって側枠板に対し遠い方の一側面は、実質的に鉛直に延在する天壁の表面と実質的に共通の鉛直面上に位置する、又は天壁の表面から水平方向に突出する、
ことを特徴とする装置、が提供される。
一端壁及びカバーを他端壁に向う水平方向に見て、一端壁の水平方向幅はカバー及び開口の水平方向幅よりも大きく形成され、カバーの、実質的に鉛直に延在する水平方向の他側面であって側枠板に対し近い方の他側面には、該他側面から裏面方向に直角に延びるフランジが形成され、フランジは、開口の、側枠板に近い方の側縁の内側を通って開口の内側に挿入される、ことが好ましい。
カバーの上下方向中央領域には、カバーの他側面から側枠板に近付く側外方に延び出す突出部が形成されて該突出部が一端壁の表面に重合され、フランジは、カバーの該突出部の上方及び下方にそれぞれ形成されている、ことが好ましい。
一端壁の開口は、側枠板に対し接近離隔する水平方向に延在する上端縁及び下端縁を有し、カバーの該突出部の上方に形成されたフランジの上端は、開口の上端縁の内側に位置付けられ、カバーの該突出部の下方に形成されたフランジの下端は、開口の下端縁の内側に位置付けられる、ことが好ましい。
装置本体の側枠板は板金製であり、側枠板には、周縁から側外方に直角に延び出すフランジが形成され、カバーのフランジの外面は、側枠板のフランジの鉛直に延在する一部領域に対し直角にかつ、該一部領域における先端に対向して位置付けられる、ことが好ましい。
カバーの板厚は、オプション収納ボックスの板厚よりも厚い、ことが好ましい。
該装置は実質的に直方体形状をなし、オプション収納ボックスは、側枠板の水平方向の一端領域に装着され、オプション収納ボックスの天壁と一端壁とが交わる角部は、該装置の水平方向における一つの角部と一致する、ことが好ましい。
装置本体の側枠板は、画像形成装置本体の側枠板である、ことが好ましい。
【発明を実施するための最良の形態】
【０００６】
以下、本発明に従って構成された装置である画像形成装置の実施の形態を、添付図面を参照して詳細に説明する。
【０００７】
図１及び図２を参照して、全体を番号１００で示す画像形成装置であるレーザプリンタは、装置本体であるプリンタ本体２を備えている。プリンタ本体２は、相互に水平方向に間隔をおいて対向する側枠板４及び側枠壁６、側枠板４及び側枠壁６間の上部を連結する上連結部材８、下部を連結する下連結部材１０、その他の図示しない連結部材により連結されている。他方の側枠壁６は合成樹脂から形成されているが、片方の側枠板４は板金から形成されている。実質的に鉛直に延在する側枠板４は、水平横方から見てほぼ矩形状をなし、側枠板４には、周縁から側外方に直角に延び出すフランジ４Ａが形成されている。側枠板４の水平横方向における一端（図２において右端）は鉛直に延在するので、該一端に形成されたフランジ４Ａも鉛直に延在する。
【０００８】
プリンタ１００に配設された主要な構成要素を、概ね図示しないで簡単に説明すると、側枠板４及び側枠壁６のほぼ中央領域間には、感光体ドラムが回転可能に支持されている。感光体ドラムの周囲には、帯電器、現像装置、転写ローラ、クリーニング装置、除電手段などが配設される。帯電器及びクリーニング装置の上方には、レーザスキャニングユニットが配設される。プリンタ本体２の下端部には、給紙カセットが、図１及び図２において左方に離脱自在に配設される。プリンタ本体２の、図１及び図２において右端部内の上下方向中央部には、定着装置がプリンタ本体２から、図１及び図２において右方に引き出し可能に配設される。プリンタ本体２の、図１及び図２において右端上部には、外装カバーが装着される。外装カバーの内側は、搬送路の案内面をなす。プリンタ本体２の上端には、排紙トレイ７Ａを有する上カバー７が配設される。
【０００９】
側枠板４の水平方向の一端領域の外面側には、オプション収納ボックス１２が離脱自在に装着される。図示の実施形態において、オプション収納ボックス１２は、シールドボックス１４と一体に構成されている（シールドボックス１４の一部を構成する、ともいえる）。図５を参照して、シールドボックス１４は、板金製のボックス本体１６と、板金製のふた１８（図１及び図２参照）とを備えている。
【００１０】
ボックス本体１６は、相互に間隔をおいて平行に対向する一側壁２０及び他側壁２２と、一側壁２０及び他側壁２２の一端間をそれらに対し直角に延在する一端壁２４と、一側壁２０及び他側壁２２の他端間をそれらに対し直角に延在する他端壁２６とを備えている。一端壁２４と他端壁２６とは、相互に間隔をおいて平行に対向する。一側壁２０、他側壁２２、一端壁２４及び他端壁２６により形成される矩形状の開口の底部には、金属製の平板からなる底壁２７（図３及び図４にその一部が図示されている）が取り付けられ、底壁２７の内側に回路基板２８が取り付けられている。一側壁２０、他側壁２２及び一端壁２４の上端（ここでは、底壁２７及び回路基板２８が存在する側を下方としている）には、一側上フランジ２０Ａ、他側上フランジ２２Ａ及び一端上フランジ２４Ａが、それぞれ一側壁２０、他側壁２２及び一端壁２４の上端からそれぞれ内側に直角に延び出すよう配設されている。一側上フランジ２０Ａは、実質的に一定の幅で一側壁２０に沿って延在する。他側上フランジ２２Ａ及び一端上フランジ２４Ａは、他側上フランジ２２Ａ及び一端上フランジ２４Ａが交わる角部を除いては、それぞれ実質的に一定の幅で他側壁２２及び一端壁２４に沿って延在する。他側上フランジ２２Ａ及び一端上フランジ２４Ａが交わる角部において、他側上フランジ２２Ａ及び一端上フランジ２４Ａの内側縁は、それぞれ直線状に延在する他の内側縁に対し斜めに延在する。
【００１１】
図３〜図５を参照して、ほぼ直方体形状をなす板金製のオプション収納ボックス１２は、シールドボックス１４のボックス本体１６における他端壁２６の外側に配設され、実質的に矩形状の天壁３０と、天壁３０の４辺からそれぞれ直角に裏面側に延び出す一側壁２６及び３２、他側壁３４、一端壁３６及び他端壁３８と、天壁３０に対向する底壁２７とを含む実質的に直方体形状をなしている。
【００１２】
天壁３０は、ボックス本体１６の一側上フランジ２０Ａ、他側上フランジ２２Ａ及び一端上フランジ２４Ａと一体に形成され、その表面は、実質的に共通の平面上に存在するよう形成されている。天壁３０は、ボックス本体１６の他側上フランジ２２Ａから側外方（図５において左方）に延び出している。オプション収納ボックス１２の一側壁２６は、ボックス本体１６の他端壁２６を共用している。一側壁３２は、ボックス本体１６の他側上フランジ２２Ａから側外方に延び出した領域において、オプション収納ボックス１２の一側壁２６の延長上に存在する（実質的に同一平面上に存在する）。オプション収納ボックス１２の一端壁３６は、ボックス本体１６の一側壁２０と一体に形成されかつ、一側壁２０の延長上に存在する（実質的に同一平面上に存在する）。オプション収納ボックス１２の底壁２７は、ボックス本体１６の底壁２７と一体に形成されかつ、実質的に同一平面上に存在する。したがって、底壁２７はほぼＬ形状をなしている。オプション収納ボックス１２の一端壁３６及びそれに連続する天壁３０の一部は他側壁３４の側外方（図５において下方）に延び出している。一端壁３６の延び出し先端には、一端壁３６に対し直角に他端壁３８に向って延び出すフランジ３６Ａが形成されている。回路基板２８は、オプション収納ボックス１２内まで延び出している（図４）。
【００１３】
上記説明から明らかなように、シールドボックス１４のボックス本体１６には、一側上フランジ２０Ａ、他側上フランジ２２Ａ及び一端上フランジ２４Ａの内側縁と、他端壁２６の上端（実施形態においては、オプション収納ボックス１２の天壁３０と他端壁２６との境界部ないし折曲部ともいえる）とにより、実質的に矩形状の開口３９が形成される。
【００１４】
実質的に矩形状の１枚の金属板から形成されるふた１８（図１、図２）は、ヒンジ手段Ｈ（図１、図２）を介して、開口３９を開閉可能にボックス本体１６に支持される。ヒンジ手段Ｈは、ふた１８の一側（図１、図２において右側）から裏面側に延びてから更に側外方に延び出す３個の突片（不図示）と、ボックス本体１６の一側上フランジ２０Ａ（図５）に形成された、突片と同数（実施形態においては３個）の貫通穴２０ａとからなる。相互に実質的に同じ形状及び大きさを有する貫通穴２０ａの各々は、図５において上下方向に細長い矩形をなしている。ふた１８は、突片の各々を、対応する貫通穴２０ａに挿入することによりボックス本体１６に回動可能に支持される。ふた１８を回動させて他側部（図１、図２において左側部）の裏面をボックス本体１６の他側上フランジ２２Ａ（図５）に重合させ、図示しないビスにより締結することにより、開口３９は閉じられる（図１、図２）。なお、図示はされていないが、ふた１８の図１及び図２における上端、下端及び他側（図５において左側）には、それぞれ直角に裏面方向に折り曲げられた上端フランジ、他端フランジ及び他側フランジが形成されている。ふた１８の上端フランジの外側面は、開口３９を通過して一端上フランジ２４Ａ（図５）の先端に直角に裏面方向に折り曲げられた図示しないフランジの内側面に重合させられる。ふた１８の他端フランジは、開口３９を通過して他端壁２６（図５）の内側面に重合させられる。ふた１８の他側フランジの内側面は、他側壁２２の（図５）の外側面に重合させられる。
【００１５】
オプション収納ボックス１２を一体に備えたシールドボックス１４は、ボックス本体１６の底壁２７（図３、図４）が、側枠板４（図１、図２）に対向し、ボックス本体１６の一端壁３６と他端壁３８が側枠板４に対し直交しかつ水平方向に対向するよう側枠板４に装着される（図１、図３及び図４参照）。
【００１６】
図２及び図３に示されているように、オプション収納ボックス１２の一端壁３６には、実質的に矩形状のオプション収容用の開口４２が形成され（図２、図３）かつ、実質的に矩形状の金属製平板からなるカバー４４（図６参照）が、開口４２を実質的に覆うよう一端壁３６の表面に重合されて離脱自在に装着される（図１、図３〜図５参照）。
【００１７】
図３、図４及び図６を参照して、縦長の矩形状をなすカバー４４は、長手方向（図３及び図６において上下方向）に間隔をおいて平行に同じ長さだけ幅方向（図３及び図６において左右方向）に延在する一端面４４ａ及び他端面４４ｂと、幅方向に間隔をおいて平行に同じ長さだけ長手方向に延在する一側面４４ｃ及び他側面４４ｄとを有している。カバー４４の他側面４４ｄには、他側面４４ｄから裏面方向に直角に延びるフランジ４４Ａが形成されている。実施形態において、カバー４４の長手方向中央領域には、カバー４４の他側面４４ｄから側外方に一定の幅（該長手方向幅）をもって一定の長さだけ延び出す突出部４４Ｂが形成されている。フランジ４４Ａは、突出部４４Ｂと一端面４４ａとの間及び突出部４４Ｂと他端面４４ｂとの間にそれぞれ形成されている（フランジ４４Ａは、図３及び図６において突出部４４Ｂの上方及び下方に形成されている、ともいえる）。カバー４４の該長手方向両端部における該幅方向の中間部には、それぞれ取付穴４４Ｈが形成されている。他端面４４ｂ側の取付穴４４Ｈは、該幅方向に長い長穴に形成されている。カバー４４の板厚は、オプション収納ボックス１２、したがってシールドボックス１４の板厚よりも厚い。
【００１８】
オプション収納ボックス１２の一端壁３６及びカバー４４を正面から見て（図３において紙面を表から裏方向に見て、図４において下から上に見て）、開口４２は、該長手方向に間隔をおいて平行に同じ長さだけ該幅方向に延在する上端縁（一端縁）４２ａ及び下端縁（他端縁）４２ｂと、幅方向に間隔をおいて平行に同じ長さだけ長手方向に延在する一側縁４２ｃ及び他側縁４２ｄとを有している。一端壁３６の水平方向幅はカバー４４及び開口４２の水平方向幅よりも大きく形成され、開口４２の該長手方向長さは、カバー４４の該長手方向長さよりも小さく形成されている。また同方向に見て、開口４２の、側枠板４に対し反対側の一側縁４２ｃと、一端壁３６の、側枠板４に対し遠い側の一側縁との間は一定の幅で平行に延在し、開口４２の、側枠板４に対し近い側の他側縁４２ｄと、一端壁３６の、側枠板４に対し近い側の他側縁との間も一定の幅で平行に延在している。一端壁３６の、開口４２の該長手方向両端付近には、それぞれ、カバー４４の取付穴４４Ｈに対応して雌ねじ穴４６（図２参照）が形成されている。
【００１９】
オプション収納ボックス１２内にオプションが収容されない場合には、カバー４４は、オプション収納ボックス１２の一端壁３６の開口４２を実質的に覆うよう、表面から重合される。カバー４４の取付穴４４Ｈの各々が、対応する雌ねじ穴４６（図２）に整合され、雄ねじ部材であるビス４８により締結される。カバー４４の、一端面４４ａ、他端面４４ｂ及び一側面４４ｃに沿った周縁領域の裏面は、一端壁３６の、開口４２における、上端縁４２ａ、下端縁４２ｂ及び一側縁４２ｃに沿った開口４２の周縁部における表面に重合される。カバー４４の突出部４４Ｂの裏面は、一端壁３６の、側枠板４に近い方の表面、すなわち開口４２の他側縁４２ｄの該長手方向中央部の周縁部における表面に重合される。
【００２０】
カバー４４のフランジ４４Ａの各々は、開口４２の、側枠板４に近い方の他側縁４２ｄの内側を通って開口４２の内側に挿入される。この構成は、図３において左方からの外力に対し、フランジ４４Ａが開口４２の、側枠板４に近い他側縁４２ｄに当接して対抗できるので、強度上有利である。
【００２１】
カバー４４の突出部４４Ｂの上方に形成されたフランジ４４Ａの上端は、開口４２の上端縁４２ａの内側に位置付けられ、カバー４４の突出部４４Ｂの下方に形成されたフランジ４４Ａの下端は、開口４２の下端縁４２ｂの内側に位置付けられる。この構成は、オプション収納ボックス１２の一端壁３６と天壁３０との角部において、図３において、下から上へ、下から斜め上へ、又は上から下へ、上から斜め下へ、それぞれ作用する外力に対し、上に位置するフランジ４４Ａの上端又は下に位置するフランジ４４Ａの下端が、それぞれ対抗する、開口４２の上端縁４２ａ又はカバー端縁４２ｂに当接して対抗できるので、強度上有利である。
【００２２】
カバー４４が開口４２を実質的に覆うよう一端壁３６に装着された状態において、一端壁３６及びカバー４４を他端壁３８に向かう水平方向（図１において矢印Ａで示す方向）に見て、カバー４４の、実質的に鉛直に延在する水平方向の一側面４４ｃであって側枠板４に対し遠い方の一側面４４ｃは、実質的に鉛直に延在する天壁３０の表面と実質的に共通の鉛直面上に位置する（図３及び図４参照）、又は天壁３０の表面から水平方向に突出するよう位置付けられる。上記オプション収納ボックス１２において、軽量化及びコストダウンの観点から、板厚を薄くした場合、オプションが収容されない状態において、一端壁３６と、一端壁３６の一側であって側枠板４に対し遠い方の一側に直角に交わる天壁３０との角部が、開口４２の存在もあって、外力や振動に対して変形しやすくなるが、カバー４４を上記したとおりに装着することにより、該角部における強度を所要のとおりに得ることが可能になった。その結果、他の補強部材を配設することなく、既存のカバー４４を利用することで、上記形態のオプション収納ボックス１２の板厚を薄くして、軽量化及びコストダウンを図ることが可能になった。
【００２３】
カバー４４にフランジ４４Ａを形成することで、先に述べたとおり、カバー４４が単なる平板から形成されるものに較べて強度上は更に有利となる。しかしながら、従来装置に対しては、カバー４４を単なる平板から形成した実施形態であっても、カバー４４の一側面４４ｃの上記配置により、強度の有利性は十分に確保することは可能である。
【００２４】
カバー４４の板厚を、オプション収納ボックス１２の板厚よりも厚くした場合には、上記した外力の作用に対する強度を容易かつ低コストでアップすることができる。
【００２５】
図３及び図４に図示されているように、カバー４４のフランジ４４Ａの各々における外面を、プリンタ本体２における側枠板４のフランジ４Ａの鉛直に延在する一部領域に対し直角にかつ、該一部領域における先端に対向して位置付けるよう構成した場合には、側枠板４に向う外力に対抗する力を大幅にアップすることが可能となる。
【００２６】
図１に示されているように、プリンタ１００は実質的に直方体形状をなし、オプション収納ボックス１２は、プリンタ本体２の側枠板４における水平方向の一端領域（図１において右端領域）に装着されている。オプション収納ボックス１２の天壁３０と一端壁３６とが交わる角部は、プリンタ１００の水平方向における一つの角部と一致する。このような配置において、該角部に外力が作用しても、所要の強度が確保されているので有利である。
【００２７】
側枠板４がプリンタ本体２の側枠板４である場合には、オプション収納ボックス１２を備えたプリンタ１００の強度の向上に寄与する。なお、オプション収納ボックス１２が、プリンタ本体２の水平方向中間部に配設された実施形態においても、本発明における上記効果の達成は可能である。また、オプション収納ボックス１２が装着される装置は、画像形成装置に限定される理由はない。更にはまた、上記実施形態において、オプション収納ボックス１２の底壁２７は金属板から形成され、回路基板２８がその内側に装着されているが、底壁２７を設けることなく、回路基板２８がオプション収納ボックス１２の底壁を兼ねる、他の実施形態もある。
【図面の簡単な説明】
【００２８】
【図１】本発明に従って構成された画像形成装置の実施形態の要部を示す斜視図である。
【図２】図１に示す画像形成装置の要部を分解しかつ一部を省略して示す斜視図である。
【図３】図１に示す画像形成装置のＡ矢視図であって、オプション収納ボックス付近を示すＡ矢視図である。
【図４】図３のＢ−Ｂ矢視断面図であって、装置本体側の一部を省略して示すＢ−Ｂ矢視断面図である。
【図５】オプション収納ボックスを含むシールドボックスを示す斜視図であって、シールドボックスのカバーを取り外して示す斜視図である。
【図６】オプション収納ボックスのカバーを示す斜視図である。
【符号の説明】
【００２９】
２：プリンタ本体
４：側枠板
４Ａ：フランジ
１２：オプション収納ボックス
１４：シールドボックス
２６：一側壁
２７：底壁
３０：天壁
３２：一側壁
３４：他側壁
３６：一端壁
３８：他端壁
４２：開口
４４：カバー
４４Ａ：フランジ
４４ｃ：一側面
【図１】
2007237427.tif 000003
【図２】
2007237427.tif 000004
【図３】
2007237427.tif 000005
【図４】
2007237427.tif 000006
【図５】
2007237427.tif 000007
【図６】
2007237427.tif 000008